【手続補正書】
【提出日】平成17年4月11日(2005.4.11)
【手続補正１】
【補正対象書類名】明細書
【補正対象項目名】特許請求の範囲
【補正方法】変更
【補正の内容】
【特許請求の範囲】
【請求項１】
時計機能と前頭葉機能検査機能とを備えたことを特徴とする携帯型生体情報収集装置。
【請求項２】
複数のキャラクタを格納する格納手段と、前記格納手段からひとつのキャラクタを選択するキャラクタ選択手段と、
選択された前記キャラクタを表示する表示部と、
前記表示部に表示されたキャラクタに関する情報を入力する入力手段と、
前記キャラクタの表示から前記入力までの時間を計時する計測手段と、
前記入力手段で入力された情報及び、前記計測手段で計測された時間を記憶する記憶手段と、
から構成される携帯型生体情報収集装置。
【請求項３】
複数のキャラクタを格納する格納手段と、
前記格納手段から複数のキャラクタを順次選択するキャラクタ選択手段と、
選択された前記複数のキャラクタを順次表示する表示部と、
前記表示部に順次表示されたキャラクタに関する情報を入力する入力手段と、
前記キャラクタの表示から前記入力までの時間を計測する計測手段と、
前記入力手段で入力された情報及び、前記計測手段で計測された時間を記憶する記憶手段と、
から構成される携帯型生体情報収集装置。
【請求項４】
前記キャラクタ選択手段及び前記記憶手段の動作を制御する制御手段を有することを特徴とする請求項２又は３に記載の携帯型生体情報収集装置。
【請求項５】
前記記憶手段は、前記入力手段で入力された情報及び、前記計測手段で計測された時間を、時系列的に一定時間継続して記憶することを特徴とする請求項２または３に記載の携帯型生体情報収集装置。
【請求項６】
前記制御手段はタイマーを有し、予め決められた時間間隔で、前記入力手段で入力された情報及び、前記計測手段で計測された時間を前記記憶手段に記憶させることを特徴とする請求項４に記載の携帯型生体情報収集装置。
【請求項７】
前記予め決められた時間間隔とは異なる時間に、前記入力手段で入力された情報及び、前記計測手段で計測された時間を前記記憶手段に記憶させるように、前記記憶手段の動作の開始を遅延させる遅延手段を備えたことを特徴とする請求項６記載の携帯型生体情報収集装置。
【請求項８】
前記入力手段は、カーソルキーで構成されていることを特徴とする請求項２から７のいずれかに記載の携帯型生体情報収集装置。
【請求項９】
装着者の体動情報を検出する検出手段を備えたことを特徴とする請求項１に記載の携帯型生体情報収集装置。
【請求項１０】
前記検出手段が加速度センサで有ることを特徴とする請求項２から８に記載の携帯型生体情報収集装置。
【請求項１１】
前記検出手段の出力信号により携帯者の状態を検出し、この検出結果に応じて前記表示部の動作を制御する制御手段を備えたことを特徴とする請求項９または１０に記載の携帯型生体情報収集装置。
【請求項１２】
外部からの入力により、前記表示部の動作を制御する制御手段を備えたことを特徴とする請求項２から１１のいずれかに記載の携帯型生体情報収集装置。
【手続補正２】
【補正対象書類名】明細書
【補正対象項目名】０００６
【補正方法】変更
【補正の内容】
【０００６】
【課題を解決するための手段】
本発明における認知機能テストは、携帯型生体情報収集装置の特徴から直後確認課題型としている。すなわち回答が正解か不正解か、以上か未満か、右か左か、上か下か、と言ったような1回の操作で答えられる質問形式にしている。
本発明における携帯型生体情報収集装置は、複数のキャラクタ格納する格納手段と、格納手段からキャラクタを選択するキャラクタ選択手段と、選択されたキャラクタを表示する表示手段と、表示手段に表示されたキャラクタに関する情報を入力する入力手段と、キャラクタの表示から入力までの時間を計時する計測時手段と、入力手段で入力された情報及び、計測手段で計測された時間を記憶する記憶手段と、から構成されることを特徴とする。
【手続補正３】
【補正対象書類名】明細書
【補正対象項目名】００１８
【補正方法】変更
【補正の内容】
【００１８】
具体的な一例としてはＲＴＣ407の時刻情報を読み出し、テスト時間を加算し
た時刻をテスト終了時間としてＲＡＭ411にストアさせる。次にＣＰＵ410は矩形
分布乱数を発生させその乱数をＲＡＭ411にストアする（処理504）。次に乱数に
対応した第1のキャラクタをＣＰＵ410が選択しＬＣＤドライバ413を介してＬＣ
Ｄ414に表示させる（処理505）。
ここで処理504で発生させる乱数が整数で有れば、直接その乱数をＬＣＤ414に
表示させても良い。表示させたキャラクタをＣＰＵ410は1秒後に消灯させる（処
理506）。
【手続補正４】
【補正対象書類名】明細書
【補正対象項目名】００２７
【補正方法】変更
【補正の内容】
【００２７】
図７は、図６のＡＳ点と出力ＰＳの波形を示したものである。
ＡＳ点では、装着者の体動を表すアナログ信号が出力されており、これがコンパレータにより基準電圧Ｖｒｅｆと比較される。コンパレータの出力は、バッファにより成形されＰＳ点での波形は、２値の矩形波となる。
この矩形波は、装着者の体動にともなって発生し、カウンタ４０５に蓄積され体動検出周期Ｔｓ毎に読み出されると伴に初期化される。したがって、体動検出周期Ｔｓ間の装着者の体動に伴うカウント値がＲＡＭに記録されて行く。図８に体動測定終了後、計測結果をＰＣに読み込み、グラフ化した場合の一例を示す。
図８は横軸に時間をとり、縦軸に体動のカウント値をとっている。図８に示すように携帯者の1日の活動の様子がよく現れている。午前中（期間Ｐ1）では活動が活発で、午後（期間Ｐ2）ではやや不活性化し、就寝前（期間Ｐ3）に再び活発化し、期間Ｐ4で就寝していると言った日内の活動の様子が確認出来る。
【手続補正５】
【補正対象書類名】明細書
【補正対象項目名】００２９
【補正方法】変更
【補正の内容】
【００２９】
認知機能テスト開始の割り込みＴｃが発生した時点で、装着者が何らかの理由でテストが出来ない時に備えて、割り込みＴｃ発生時にＬＣＤにテストに答えられる状況か否かを問う表示を行う。携帯者がテストに答えられない時の、テスト開始を一定時間遅らせる処理の動作フローを図９に示し動作を説明する。
認知機能テスト実施時間Tcnによる割り込みも時、ブザーを鳴動させ（処理901）装着者に認知機能テストの開始時間が来たことを知らせる。と同時にLCDにテスト開始が可能か表示する（処理902）。開始可能の時、先に説明した図5の処理502の処理を行う。開始不能のとき、テスト開始遅延処理に移行する（処理903）。
【手続補正６】
【補正対象書類名】明細書
【補正対象項目名】００３０
【補正方法】変更
【補正の内容】
【００３０】
処理904では、遅延フラグがセットされているか否かをチェックし既に遅延処理が行われたのか否かを確認する。遅延フラグが0で今回の実施時間Tcnにおける遅延処理が初めてのとき、次回のテスト実施時間Tcn+1のテスト開始時刻を一時メモリの他の領域に退避させる（処理905）。次に次回のテスト開始時刻を30分後に設定する（処理906）。次に遅延フラグをセットし（処理907）、動作を終了（処理908）する。
以上の処理により規則正しく設定されている認知機能テストのテストを一定時間遅らせることが出来る。
【手続補正７】
【補正対象書類名】明細書
【補正対象項目名】００３１
【補正方法】変更
【補正の内容】
【００３１】
処理904で遅延フラグが既にセットされている場合は、今回のテスト実施時間Tcnにおける遅延操作が２度目であるので、本実施例では遅延フラグをリセットし（処理909）、次回のテスト実施時間であるTcn+1を一度、処理905で退避した時刻に再設定をして動作を終了する（処理908）。すなわち本実施例の場合、遅延操作は１度しか認めず２度目の場合、今回Tcnにおけるテストは中止し、次回のテスト実施時刻は規則的な時刻に再設定される。
以上のように簡単にテスト開始時刻を遅延させることが可能である。
【手続補正８】
【補正対象書類名】明細書
【補正対象項目名】００３３
【補正方法】変更
【補正の内容】
【００３３】
【発明の効果】
以上説明したように、本発明ではアルツハイマーや痴呆の診断に利用される認知
機能テストを携帯型情報収集装置で実施できると共に、装着者の活動の情報も併
せて記録することも可能になるので、行動パターンと記憶機能の関係や、気分動
向と記憶機能との関係などの最新の研究に役立つ携帯型生体情報収集装置を提供
することが出来る。
【図面の簡単な説明】
【図１】
本発明の一実施例による携帯型生体情報収集装置の外観図である。
【図２】
携帯型生体情報収集装置とパーソナルコンピュータを接続し、通信を行なう時
の概念図である。
【図３】
本発明の携帯型生体情報収集装置の構成図である。
【図４】
本発明の一実施例を示すブロック図である。
【図５】
本発明による認知機能テストの動作フローを示す図である。
【図６】
本発明による体動検出回路の一具体例を示す図である。
【図７】
本発明の一実施例による携帯型生体情報収集装置の体動検出回路における出力
波形図である。
【図８】
本発明の一実施例による携帯型生体情報収集装置の計測結果を示すグラフであ
る。
【図９】
本発明によるテスト開始を一定時間遅らせる処理を説明する動作フロー図であ
る。
【符号の説明】
１００  携帯型生体情報収集装置
１０１  本体
１０２  表示手段
１０３、１０４、１０５，１０６、１０７  キー
１０８、１０９  バンド
１１０、１１１、１１２  入出力端子
２００  ドッキングステーション
２０１、２０２、２０３  接続ピン
２０４  ケーブル
２１０  パーソナルコンピュータ
３００  キャラクタ選択手段
３０１  表示部
３０２  反応時間計測手段
３０３  入力手段
３０４  制御手段
３０５  記憶手段
４００  加速度センサ
４０１  増幅手段
４０２  ハイパスフィルター
４０３  ローパスフィルター
４０４  変換手段
４０５  カウンタ
４０６  タイマー
４０７  ＲＴＣ
４０８  Ｉ／Ｏポート
４０９  入力手段
４１０  ＣＰＵ
４１１  ＲＡＭ
４１２  ＲＯＭ
４１３  ＬＣＤドライバ
４１４  ＬＣＤ
４１５  ブザードライバ
４１６  ブザー
４２０  コンパレータ
６００  加速度センサ
６０１、６０４、６０８、６１１、６１３、６１９、６２０、６２１、６２２
抵抗
６０２、６１０、６１６、６１７  オペアンプ
６０３、６０９、６１２  帰還抵抗
６０５、６０６、６０７、６１４、６１５  コンデンサ
６１８  バッファ
６２３、６２４  アナログスイッチ